【事件の表示】
　特願２００６−２３２５８０号「コネクタ」拒絶査定不服審判事件〔平成２０年３月１３日出願公開、特開２００８−５９８０３号〕について、次のとおり審決する。
【結　論】
　本件審判の請求は、成り立たない。
【理　由】
第１　手続の経緯
　本願は、平成１８年８月２９日の出願であって平成２０年１０月１４日付けで拒絶査定がなされ、これに対し、平成２０年１１月２０日に拒絶査定不服審判の請求がなされるとともに、平成２０年１２月２２日付けで手続補正がなされたものである。
　
第２　平成２０年１２月２２日付けの手続補正についての補正却下の決定
［補正却下の決定の結論］
　平成２０年１２月２２日付けの手続補正（以下、「本件補正」という。）を却下する。
　
［理由］
１．補正後の本願発明
　本件補正により、特許請求の範囲の請求項１は、次のように補正された。
「ほぼ板状の第１接続対象物を受容する第１受容部、ほぼ板状の第２接続対象物を受容する第２受容部、及び等間隔に並んだ複数のコンタクト収容室を有するハウジングと、
　前記複数のコンタクト収容室の
うち一端にあるコンタクト収容室の隣のコンタクト収容室
　
前記一端にあるコンタクト収容室
　前記複数のコンタクト収容室のうち前記第１、第２挿入検知コンタクトが配置された前記コンタクト収容室以外のコンタクト収容室に配置された信号コンタクトとを備え、
　前記第１挿入検知コンタクトは、前記第１受容部に配置された第１接触部と、前記第２接続対象物が前記第２受容部に正常に挿入されたときに前記第２接続対象物
の挿入方向先端部の角部
　前記第２挿入検知コンタクトは、前記第１受容部に配置された第３接触部と、前記第２接続対象物が前記第２受容部に正常に挿入されたときに前記第２接触部と接触する第４接触部とを有し、
　前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になる
　ことを特徴とするコネクタ。」（下線部は補正個所を示す。）
　
２．補正の目的
　本件補正は、請求項１に記載した発明を特定するために必要な事項である「第１挿入検知コンタクト」及び「第２挿入検知コンタクト」の配置位置について、それぞれ「前記複数のコンタクト収容室の
うち一端にあるコンタクト収容室の隣のコンタクト収容室
前記一端にあるコンタクト収容室
の挿入方向先端部の角部
　
３．独立特許要件
　そこで、本件補正後の前記請求項１に記載された発明（以下、「本願補正発明」という。）が特許出願の際独立して特許を受けることができるものであるか（改正前特許法第１７条の２第５項において準用する同法第１２６条第５項の規定に適合するか）について以下に検討する。
　
３−１．引用例の記載事項
　原査定の拒絶の理由に引用された、特開２００４−７９３４７号公報（以下、「引用例」という）には、図面と共に次の事項が記載されている。
　
　ア　「【発明の属する技術分野】本発明は、コネクタに関し、さらに詳細には、端部にカード側端子を有したメモリカードと端部にプリント板側端子を有したフレキシブルプリント板とを電気的に接続させるコネクタに関する。」（段落【０００１】）
　イ　「【課題を解決するための手段】前記課題を解決するために本発明のコネクタは、一端側に開口する第１開口部（例えば、実施形態における前開口部１３ａ）及び他端側に開口する第２開口部（例えば、実施形態におけるプリント開口部１７ａ）を連通させて前後に延びる空間部（例えば、実施形態における凹部１３）を有する保持部材と、空間部に配設されたコネクタ側端子（例えば、実施形態におけるコンタクト２０）と、保持部材にコネクタ側端子の左右方向に直線状に並んで取り付けられたライトプロテクト端子（例えば、実施形態におけるスイッチ端子２３）とを有し、保持部材は、端部に電子部品側端子（例えば、実施形態におけるカード側端子７１）を有した電子部品（例えば、実施形態におけるメモリカード７０）を第１開口部から空間部に挿抜自在に保持可能であるとともに、端部に平面状に配設されたプリント板側端子を有したフレキシブルプリント板を平面状のままで第２開口部から空間部に着脱自在に挿着可能に構成され、コネクタ側端子は、電子部品及びフレキシブルプリント板を保持部材に挿着させた状態で、電子部品側端子とプリント板側端子とを電気的に接続させるように構成され、
・・・・・・」（段落【０００７】）
　ウ　「上記構成のコネクタにおいて、ライトプロテクト端子は、保持部材の他端側から一端側へ延びる共通端子と、電子部品が保持部材に挿着保持されると電子部品に押圧されて共通端子に当接接触して電子部品が保持部材に挿着保持されたことを検知する電子部品挿着検知端子（例えば、実施形態におけるカード挿着検知端子２４）と、電子部品が保持部材に挿着保持された状態で、電子部品のライトプロテクトスイッチの移動位置に応じて共通端子への押圧を許容させ及び解除させて、共通端子と接触状態又は非接触状態にされるライトプロテクト検知端子とを有して構成されてもよい。」（段落【０００９】）
　エ　「このような保持部材１０の後端部には左右方向に所定の間隙を有して配置された複数のコンタクト２０が取り付けられている。コンタクト２０は、図３（ａ）に示すように、水平方向に延びる基部２０ａと、この基部２０ａの前端部から斜め上方へ延びる傾斜アーム部２０ｂと、傾斜アーム部２０ｂの先端部に形成されて上方へ突出した接触部２０ｃと、基部２０ａの後端側中央部から上方へ屈曲して斜め前方へ延びた突出片部２０ｄとからなり、例えば、導電性金属材料の薄板を曲げ加工して一体成形される。
　コンタクト２０、図２（ｃ）に示す保持部材１０の後端側に左右方向に並んだ状態で複数形成されたコンタクト挿入孔１５の下部に形成されたコンタクト保持溝１６に傾斜アーム２０ｂがコンタクト２０の前端側に向けられた状態で挿入され、基部２０ａがコンタクト保持溝１６に圧入されて保持部材１０に取り付けられている。図２（ｃ）に示すコンタクト保持溝１６に圧入保持されたコンタクト２０の傾斜アーム部２０ｂは、無負荷状態においてその先端部が凹部１３の下部まで延び、また、コンタクト２０の突出片部２０ｄの頂部はコンタクト保持溝１６よりも上方のコンタクト挿入孔１５に延びている。」（段落【００１７】〜【００１８】）
　オ　「次に、保持部材１０に図１に示すメモリカード７０が挿着されたか否か及びメモリカード７０のライトプロテクトスイッチの状態を検知するスイッチ端子２３について説明する。スイッチ端子２３は、図２（ａ）に示すように、凹部１３外側の保持部材１０の右側端部にコンタクト２０の左右方向に直線状に並んで前後に延びた状態で挿着され、内側から外側に順にカード挿着検知端子２４、共通端子２９及びライトプロテクト検知端子３５を有して構成されている。」（段落【００２３】）
　カ　「スイッチ端子２３のうち最も内側に配設されたカード挿着検知端子２４は、図４に示すように、板状で前後（図４紙面の左右方向）に延びる接続部２４ａと、この接続部２４ａの前端下側から水平方向前側に延びる第１水平アーム部２４ｂと、第１水平アーム部２４ｂの先端部から上方（図６紙面の上側）へ延びて接続部２４ａ側へ延びる第２水平アーム部２４ｃと、第２水平アーム部２４ｃの先端部から前後に延びるカード挿着検知端子２４の左側に屈曲して突出した当接部２４ｄとからなり、例えば、導電性金属材料の薄板を曲げ加工して成形される。接続部２４ａは上下に間隙２５を有して対向配置されて水平方向に延びる第１突出片部２６及び第２突出片部２７を有してチューニングフォーク状に形成され、第１突出片部２６は第２突出片部２７の先端位置よりも後側に突出している。第１突出片部２６の中間下面及び第２突出片部２７の先端上面には対向配置された一対の係止突起２８がそれぞれに形成されている。・・・・」（段落【００２４】）
　キ　「・・・・・・カード挿着検知端子２４は図２（ｃ）に示す保持部材１０の右側後端部に左右方向に並んだ状態で前後に延びて形成された３つの端子挿入穴５３、５４、５５のうち最も内側の端子挿入穴５３に挿着されている。・・・・・・」（段落【００２５】）
　ク　「図２（ａ）に示すように、保持部材１０に取り付けられたカード挿着検知端子２４の当接部２４ｄは、これに外力が作用していない状態では凹部１３の右側面内側に形成された図示しない開口部から突出している。このため、図８（ａ）に示すように、メモリカード７０が凹部３内に挿入されて、メモリカード７０の先端部が凹部３の後端側に移動すると、メモリカード７０の右側先端縁部が当接部２１ｄをコネクタ右側方向へ押圧し、図８（ｂ）に示す第２水平アーム部２４ｃが保持部材１０の右側に揺動して当接部２４ｄが右側に移動することになる。なお、カード挿着検知端子２４の作動については後述する。」（段落【００２７】）
　ケ　「接続部２９ａは前述した図４に示すカード挿着検知端子２４の接続部２４ａと同様の形状（チューニングホーク状）であるので、接続部２９ａは接続部２４ａに準じた符号を附してその説明を省略する。なお、接続部２９ａの第１突出片部を２８で示し、第２突出片部を２９で示し、一対の係止突起を３２で示し、係止突起部を２８ａで示す。・・・・・共通端子２９は、図２（ｃ）に示す３つの端子挿入穴５３、５４、５５のうちの真ん中の端子挿入穴５４に挿着され、・・・・・・」（段落【００２９】）
　コ　「端子挿入穴５４に係止された共通端子２９における第２水平アーム部２９ｃ及び第３水平アーム部２９ｄは、図９（ｂ）に示すように、それぞれの基端部において片持ち梁状に支持され、基端部を揺動中心として左右方向に弾性変形して揺動可能である。第２水平アーム部２９ｃと前述したカード挿着検知端子２４の第２水平アーム部２４ｃは、これらが保持部材１０に挿着された状態において左右に隣接した位置に配設されており、カード挿着検知端子２４の当接部２４ｄがコネクタ１の右側（図９の下側）に移動すれば、この当接部２４ｄの右側面が共通端子２９の当接部２９ｅと押圧接触するように配設されている。その結果、図９（ａ）に示すメモリカード７０が凹部１３に収容保持された状態になると、カード挿着検知端子２４と共通端子２９とが接触状態となって、こられの端子が電気的に接続された状態になる。このため、図示しない電子機器にこのコネクタ１を搭載し、カード挿着検知端子２４と共通端子２９とが接触状態にあるときに電気信号を受けるように電子機器を構成することで、電子機器はメモリカード７０がコネクタ１に収容保持されていることを検知することができる。」（段落【００３０】）
　サ　「接続部３５ａは前述した図４に示すカード挿着検知端子２４の接続部２４ａと同様の形状であるので、この接続部３５ａはカード挿着検知端子２４の接続部２４ａに準じた符号を附して説明を省略する。なお、第１突出片部を３６で示し、第２突出片部を３７で示し、一対の係止突起を３８で示し、係止突起部を３６ａで示す。・・・
　・・・ライトプロテクト検知端子３５は、図２（ｃ）に示す３つの端子挿入穴５０のうちの外側の端子挿入穴５５に挿着され、・・・・・・」（段落【００３２】〜【００３３】）
　シ　「また、フレキシブルプリント板８０のプリント板側端子８５を下方へ向けた状態で、フレキシブルプリント板８０の先端部を図２（ｃ）に示す挿入穴部１７に挿入すれば、プリント板側端子８５が対応するコンタクト２０の図３（ａ）に示す突出片部３０ｄと押圧接触して、プリント板側端子８５とコンタクト２０とを電気的に接続させることができる。その結果、コネクタ１の凹部１３にメモリカード７０を挿着し、フレキシブルプリント板８０を挿入穴部１７に挿着することで、コンタクト２０を介してメモリカード７０とフレキシブルプリント板８０とを電気的に接続させることができる。また、プリント板側端子８５のうち右側端部に配設されたプリント板側端子８５はこれに対応するスイッチ端子２３の図３に示す接続部２４ａ、２９ａ、３５ａに挟持された状態となり、フレキシブルプリント板８０とスイッチ端子２３とを電気的に接続させた状態にすることができる。」（段落【００３８】）
　
　ス　図１，２には、記載イ、エに関連して、コネクタ１の左右に等間隔に並んだコンタクト２０と、その右側端部に並んで配置されたカード挿着検知端子２４、共通端子２９、ライトプロテクト検知端子３５が示されており、図２（ｃ）には、コネクタ１の左右に等間隔に並んだコンタクト挿入孔１５と、記載キ、ケ、サに関連して、その右側端部に並んで配置された３つの端子挿入穴５３、５４、５５が図示されている。
　セ　図３（ａ）〜（ｄ）には、それぞれコンタクト２０、カード挿着検知端子２４、共通端子２９、ライトプロテクト検知端子３５が収容された位置でのコネクタ断面が図示されており、記載サに関連して、フレキシブルプリント板８０を第２開口部である挿入穴部１７に所定位置まで挿入した状態で、コンタクト２０の後端側中央部にある突出片部２０ｄ（図中上部に記載された２０ｂは誤記と認める。）にフレキシブルプリント板８０の先端部が接触することが図示されるとともに、同様に所定長挿入した状態で、カード挿着検知端子２４、共通端子２９、ライトプロテクト検知端子３５のそれぞれの後端側略中央部にある接続部２４ａ、２９ａ、３５ａの係止突起２８、３２、３８（図４〜６も参照）にフレキシブルプリント板８０の先端部が挟持されることが図示されている。
　ソ　図８（ｂ）には、カード挿着検知端子２の当接部２４ｄが、正常に挿入されたメモリカード７０の右側先端縁部により押圧され、共通端子２９と接触する状態が図示されている。
　
　上記記載事項について検討すると、記載アには、メモリカードとフレキシブルプリント板とを電気的に接続させるコネクタが記載されており、記載イには、このコネクタが、一端側に開口する第１開口部と他端側に開口する第２開口部、及び両者を連通させて前後に延びる空間部を有する保持部材と、保持部材の空間部に配設されたコネクタ側端子（コンタクト２０）及びコネクタ側端子の左右方向に直線状に並んで取り付けられたライトプロテクト端子（スイッチ端子２３）とを備えていることが記載されている。
　また、記載イには、コネクタの第１開口部が電子部品（メモリカード７０）を挿抜自在に保持可能であり、第２開口部がフレキシブルプリント板を着脱自在に挿着可能であることが記載されており、さらに、記載イには、コネクタ側端子が、電子部品及びフレキシブルプリント板を保持部材に挿着させた状態で、電子部品側端子とプリント板側端子とを電気的に接続させるように構成されていることが記載されている。
　記載ウには、ライトプロテクト端子が、共通端子と、電子部品に押圧されて共通端子に当接接触することにより電子部品が保持部材に挿着保持されたことを検知する電子部品挿着検知端子（カード挿着検知端子２４）と、ライトプロテクト検知端子とから構成されることが記載されている。
　記載エには、複数のコンタクト２０が保持部材１０に左右方向に所定の間隙を有して、すなわち等間隔に配置されることが記載され、また、保持部材１０にはコンタクト２０の保持のためのコンタクト保持溝１６のあるコンタクト挿入孔１５が左右方向に並んだ状態で複数形成されることが記載されている。このことから、保持部材１０には等間隔にコンタクト挿入孔１５が形成されているといえる。
　なお、コンタクト２０は、基部２０ａの後端側中央部に突出片部２０ｄを有することが記載されている。
　記載オには、記載ウに関連して、スイッチ端子２３が保持部材の右側端部に、コンタクト２０の左右方向に内側からカード挿着検知端子２４、共通端子２９及びライトプロテクト検知端子３５の順に並んで、言い換えると右端にライトプロテクト検知端子３５、右から２番目に共通端子２９、右から３番目にカード挿着検知端子２４の順に並んで配置されることにより構成されることが記載されている。
　記載キ、ケ、サにはそれぞれ、カード挿着検知端子２４は図２（ｃ）に示す保持部材１０の右側後端部に左右方向に並んだ状態で前後に延びて形成された３つの端子挿入穴５３、５４、５５のうち最も内側の端子挿入穴５３に挿着され、同様に、共通端子２９は真ん中の端子挿入穴５４に、ライトプロテクト検知端子３５は外側の端子挿入穴５５に挿着されていることが記載されている。
　記載ク及び記載コには、メモリカード７０を第１開口部に挿入すると、メモリカード７０の右側先端縁部が、カード挿着検知端子２４の当接部２４ｄをコネクタ右側方向へ押圧することが記載されており、右側に移動した当接部２４ｄが共通端子２９の当接部２９ｅと押圧接触し、カード挿着検知端子２４と共通端子２９とが接触状態となって、メモリカード７０がコネクタ１に収容保持されていることを検知することができることが記載されている。
　記載シには、フレキシブルプリント板８０のプリント板側端子８５を挿入穴部１７すなわち第２開口部に挿入すると、プリント板側端子８５が対応するコンタクト２０の突出片部２０ｄ（３０ｄは誤記と認める。）と押圧接触して、プリント板側端子８５とコンタクト２０とが電気的に接続することが記載されており、また、このような装着状態で、プリント板側端子８５のうち右側端部に配設されたプリント板側端子８５はこれに対応するスイッチ端子２３の接続部２４ａ、２９ａ、３５ａに挟持された状態となり、フレキシブルプリント板８０とスイッチ端子２３も電気的に接続することが記載されている。
　図示事項セを参照しつつ記載シの記載内容を検討すると、フレキシブルプリント板８０を挿入穴部１７すなわち第２開口部に少し挿入しただけでは、プリント板側端子８５の先端は、コンタクト２０の基部２０ａの後端側中央部にある突出片部２０ｄ及びスイッチ端子２３の接続部２４ａ、２９ａ、３５ａの係止突起２８、３２、３８の位置に達していないため、フレキシブルプリント板８０は、コンタクト２０及びスイッチ端子２３（カード挿着検知端子２４、共通端子２９及びライトプロテクト検知端子３５）と非接触状態にあり、図３に示されるようにフレキシブルプリント板８０を第２開口部に所定位置まで挿入したとき、プリント板側端子８５の先端は、コンタクト２０の突出片部２０ｄ及びスイッチ端子２３の接続部２４ａ、２９ａ、３５ａの係止突起２８、３２、３８の位置を越えて、フレキシブルプリント板８０が、コンタクト２０及びスイッチ端子２３（カード挿着検知端子２４、共通端子２９及びライトプロテクト検知端子３５）と接触状態となることが明らかである。
　
　これら記載事項及び図示内容を総合し、本願補正発明の記載ぶりに則って整理すると、引用例には、次の発明（以下、「引用発明」という）が記載されている。
　
「メモリカード７０が挿入される第１開口部、フレキシブルプリント板８０が挿入される第２開口部、及び等間隔に並んだ複数のコンタクト挿入孔１５とその右側端部に並んだ３つの端子挿入穴５３、５４、５５を有する保持部材と、
　右から３番目の端子挿入穴５３に配置されたカード挿着検知端子２４と、
　右から２番目の端子挿入穴５４に配置された共通端子２９と、
　右端の端子挿入穴５５に配置されたライトプロテクト検知端子３５と、
　複数のコンタクト挿入孔１５に配置されたコンタクト２０とを備え、
　前記カード挿着検知端子２４は、前記第２開口部に配置された接続部２４ａと、前記メモリカード７０が前記第１開口部に正常に挿入されたときに前記メモリカード７０の右側先端縁部に押圧される当接部２４ｄとを有し、
　前記共通端子２９は、前記第２開口部に配置された接続部２９ａと、前記メモリカード７０が前記第１開口部に正常に挿入されたときに前記当接部２４ｄと接触する当接部２９ｅとを有し、
　前記フレキシブルプリント板８０が前記第２開口部の所定位置まで挿入されていないときに、前記接続部２４ａと前記接続部２９ａの両方が前記フレキシブルプリント板８０と非接触状態にあり、前記フレキシブルプリント板８０が前記第２開口部の所定位置まで挿入されたときに、前記接続部２４ａと前記接続部２９ａの両方が前記フレキシブルプリント板８０と接触状態になるコネクタ１。」
　
３−２．対比
　本願補正発明と引用発明とを対比すると、各文言の意味、機能または作用等からみて、引用発明の「第２開口部」は、ほぼ板状の形状をした「フレキシブルプリント板８０」が挿入されるものであることから、本願補正発明の、ほぼ板状の第１接続対象物を受容する「第１受容部」に相当し、「フレキシブルプリント板８０」は「第１接続対象物」に相当する。
　同様に、引用発明の「第１開口部」は、ほぼ板状の形状をした「メモリカード７０」が挿入されるものであることから、本願補正発明の、ほぼ板状の第２接続対象物を受容する「第２受容部」に相当し、「メモリカード７０」は「第２接続対象物」に相当する。
　また、引用発明の「等間隔に並んだ複数のコンタクト挿入孔１５とその右側端部に並んだ３つの端子挿入穴５３、５４、５５」は、コンタクト挿入孔１５も端子挿入穴も、いずれも実質的にコンタクトを収容する収容部であるといえることから、本願補正発明の「等間隔に並んだ複数のコンタクト収容室」と「並んだ複数のコンタクト収容部」である点で共通している。
　そして、引用発明の「保持部材」は本願補正発明の「ハウジング」に相当する。
　次に、引用発明の「カード挿着検知端子２４」は、「前記第２開口部に配置された接続部２４ａと、前記メモリカード７０が前記第１開口部に正常に挿入されたときに前記メモリカード７０の右側先端縁部に押圧される当接部２４ｄとを有」するものであり、メモリカード７０は本願補正発明の第２接続対象物に相当するものであるところ、一方、本願補正発明の「第１挿入検知コンタクト」は、「前記第１受容部に配置された第１接触部と、前記第２接続対象物が前記第２受容部に正常に挿入されたときに前記第２接続対象物の挿入方向先端部の角部によって押圧される第２接触部とを有」するものであるので、引用発明の「カード挿着検知端子２４」は本願補正発明の「第１挿入検知コンタクト」に相当し、同様に「接続部２４ａ」、「当接部２４ｄ」は、それぞれ「第１接触部」、「第２接触部」に相当する。
　引用発明の「共通端子２９」は、「前記第２開口部に配置された接続部２９ａと、前記メモリカード７０が前記第１開口部に正常に挿入されたときに前記当接部２４ｄと接触する当接部２９ｅとを有」するものであるところ、一方、本願補正発明の「第２挿入検知コンタクト」は、「前記第１受容部に配置された第３接触部と、前記第２接続対象物が前記第２受容部に正常に挿入されたときに前記第２接触部と接触する第４接触部とを有」するものであるので、引用発明の「共通端子２９」は本願補正発明の「第２挿入検知コンタクト」に相当し、同様に「接続部２９ａ」、「当接部２９ｅ」は、それぞれ「第３接触部」、「第４接触部」に相当する。
　なお、引用発明の「カード挿着検知端子２４」と「共通端子２９」は、実質的に隣り合ったコンタクト収容部に配置されている点で、本願補正発明の「第１挿入検知コンタクト」と「第２挿入検知コンタクト」とその配置が共通する。
　また、引用発明の「コンタクト２０」は、本願補正発明の「信号コンタクト」に相当する。
　次に、引用発明の「前記フレキシブルプリント板８０が前記第２開口部の所定位置まで挿入されていないときに、前記接続部２４ａと前記接続部２９ａの両方が前記フレキシブルプリント板８０と非接触状態にあり、前記フレキシブルプリント板８０が前記第２開口部の所定位置まで挿入されたときに、前記接続部２４ａと前記接続部２９ａの両方が前記フレキシブルプリント板８０と接触状態になる」について検討すると、上述のように「フレキシブルプリント板８０」、「第２開口部」、「接続部２４ａ」、「接続部２９ａ」は、それぞれ本願補正発明の「第１接続対象物」、「第１受容部」、「第１接触部」、「第３接触部」に相当し、「前記接続部２４ａと前記接続部２９ａの両方」は、「前記接続部２４ａと前記接続部２９ａの少なくとも一方」に包含されるから、引用発明の上記発明特定事項は、本願補正発明の「前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になる」との発明特定事項に相当する。
　そして、引用発明の「コネクタ１」は、本願補正発明の「コネクタ」に相当する。
　
　そこで、本願補正発明の用語を用いて表現すると、両者は次の点で一致する。
（一致点）
「ほぼ板状の第１接続対象物を受容する第１受容部、ほぼ板状の第２接続対象物を受容する第２受容部、及び並んだ複数のコンタクト収容部を有するハウジングと、
　前記複数のコンタクト収容部のうち一つのコンタクト収容部の隣のコンタクト収容部に配置された第１挿入検知コンタクトと、
　前記一つのコンタクト収容部に配置された第２挿入検知コンタクトと
　前記複数のコンタクト収容部のうち前記第１、第２挿入検知コンタクトが配置された前記コンタクト収容部以外のコンタクト収容部に配置された信号コンタクトとを備え、
　前記第１挿入検知コンタクトは、前記第１受容部に配置された第１接触部と、前記第２接続対象物が前記第２受容部に正常に挿入されたときに前記第２接続対象物の挿入方向先端部の角部によって押圧される第２接触部とを有し、
　前記第２挿入検知コンタクトは、前記第１受容部に配置された第３接触部と、前記第２接続対象物が前記第２受容部に正常に挿入されたときに前記第２接触部と接触する第４接触部とを有し、
　前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になるコネクタ。」
　
　そして、両者は次の点で相違する（対応する引用発明（引用例記載）の用語を（　）内に示す）。
（相違点１）
　本願補正発明のコンタクト収容部はコンタクト収容室であり、複数のコンタクト収容室が等間隔に並んでいるのに対し、引用発明のコンタクト収容部は等間隔に並んだ複数のコンタクト挿入孔１５とその右側端部に並んだ３つの端子挿入穴５３、５４、５５であって、３つの端子挿入穴５３、５４、５５は複数のコンタクト挿入孔１５と等間隔に並んでいない点。
　
（相違点２）
　本願補正発明の第１挿入検知コンタクトは、複数のコンタクト収容部すなわちコンタクト収容室のうち一端にあるコンタクト収容室の隣のコンタクト収容室に配置され、第２挿入検知コンタクトは、一端にあるコンタクト収容室に配置されているのに対し、引用発明の第１挿入検知コンタクト（カード装着検知端子２４）は、右から３番目のコンタクト収容部（端子挿入穴５３）に配置され、第２挿入検知コンタクト（共通端子２９）は、右から２番目のコンタクト収容部（端子挿入穴５４）に配置されている点。
　
３−３．相違点の判断
　上記相違点について検討する。
（相違点１について）
　一般にコネクタにおけるコンタクト及びコンタクト収容室の配置は、接続対象物の形態やその接続端子の配置等に応じて適宜設計され得るものであり、引用発明において、ハウジング（保持部材）の右側端部に並んだ３つのコンタクト収容部（端子挿入穴５３、５４、５５）を、等間隔に並んだ複数のコンタクト収容部（コンタクト挿入孔１５）と等間隔に配置するようにして、相違点１に係る本願補正発明の発明特定事項のようにすることは当業者が適宜なし得た設計的事項にすぎない。
　
（相違点２について）
　引用発明は、第２接続対象物（メモリカード７０）のライトプロテクトスイッチを検知するために、右端のコンタクト収容部（端子挿入穴５５）にライトプロテクト検知端子３５を配置したものであるが、メモリカードには、格別ライトプロテクトスイッチを備えないものも多く（例えばミニＳＤカード、マイクロＳＤカード、メモリースティックPRO Duo等）、このようなものを接続対象物とした場合、ライトプロテクト検知端子３５は不要であることから、ライトプロテクト検知端子３５とそのためのコンタクト収容部（端子挿入穴５５）とを省略し、右端のコンタクト収容部（端子挿入穴５４）に第２挿入検知コンタクト（共通端子２９）を配置し、その左隣のコンタクト収容部（端子挿入穴５３）に第１挿入検知コンタクト（カード装着検知端子２４）を配置するようにして、相違点２に係る本願補正発明の発明特定事項のようにすることは当業者が容易に想到し得たことである。
　
　そして、本願補正発明による効果も、引用発明から当業者が予測し得た程度のものであって、格別のものとはいえない。
　
　したがって、本願補正発明は、引用発明に基いて、当業者が容易に発明をすることができたものであるので、特許法第２９条第２項の規定により、特許出願の際独立して特許を受けることができない。
　
３−４．むすび
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明
　本件補正は、上記のとおり却下されたので、本願の請求項１に係る発明（以下、同項記載の発明を、「本願発明」という）は、平成２０年９月８日付けの手続補正書により補正された明細書の、特許請求の範囲の請求項１に記載された事項により特定される、以下のとおりのものである。
　
「ほぼ板状の第１接続対象物を受容する第１受容部、ほぼ板状の第２接続対象物を受容する第２受容部、及び等間隔に並んだ複数のコンタクト収容室を有するハウジングと、
　前記複数のコンタクト収容室の一つに配置された第１挿入検知コンタクトと、
　前記第１挿入検知コンタクトが配置された前記コンタクト収容室に隣接する前記コンタクト収容室に配置された第２挿入検知コンタクトと
　前記複数のコンタクト収容室のうち前記第１、第２挿入検知コンタクトが配置された前記コンタクト収容室以外のコンタクト収容室に配置された信号コンタクトとを備え、
　前記第１挿入検知コンタクトは、前記第１受容部に配置された第１接触部と、前記第２接続対象物が前記第２受容部に正常に挿入されたときに前記第２接続対象物によって押圧される第２接触部とを有し、
　前記第２挿入検知コンタクトは、前記第１受容部に配置された第３接触部と、前記第２接続対象物が前記第２受容部に正常に挿入されたときに前記第２接触部と接触する第４接触部とを有し、
　前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になる
　ことを特徴とするコネクタ。」
　
第４　引用例の記載事項
　原査定の拒絶の理由に引用された引用例、及び、その記載事項は、前記第２の「３−１」に記載したとおりである。
　
第５　対比・判断
　本願発明は、前記第２の「１」の本願補正発明から、「前記複数のコンタクト収容室のうち一端にあるコンタクト収容室の隣のコンタクト収容室に配置された第１挿入検知コンタクト」及び「前記一端にあるコンタクト収容室に配置された第２挿入検知コンタクト」との発明特定事項から「第１挿入検知コンタクト」及び「第２挿入検知コンタクト」の配置位置についての限定を省き、さらに、「前記第２接続対象物の挿入方向先端部の角部によって押圧される第２接触部」から、「第２接触部」を押圧する第２接続対象物の部位の限定を省いたものである。
　そうすると、本願発明の発明特定事項をすべて含み、さらに、他の発明特定事項を付加したものに相当する本願補正発明が、前記第２の「３−３」に記載したとおり、引用発明に基いて、当業者が容易に発明をすることができたものであるから、本願発明も、同様に、引用発明に基いて、当業者が容易に発明をすることができたものである。
　
第６　むすび
　以上のとおり、本願発明は、引用発明に基いて、当業者が容易に発明をすることができたものであるから、特許法第２９条第２項の規定により、特許を受けることができない。
　したがって、本願は、他の請求項について検討するまでもなく、拒絶すべきものである。
　よって、結論のとおり審決する。